(57)【特許請求の範囲】
【請求項１】
透明な板からなるフロントスクリーンを含み、当該フロントスクリーンの表面の一部が入力操作面とされたタッチパネルを備える携帯通信端末であって、
前記フロントスクリーンの表面に、前記入力操作面の外縁に沿って、導体からなるアンテナ構体が敷設され、
前記タッチパネルは、１つ以上の電極板を有し、
前記電極板は、前記フロントスクリーンの裏面側に敷設されている
ことを特徴とする携帯通信端末。
【請求項２】
前記アンテナ構体は、前記タッチパネルの入力操作面の外縁である多角形の各辺のうち、少なくとも隣り合う第１辺と第２辺との外側に沿って当該第１辺と当該第２辺とに並行している
ことを特徴とする請求項１記載の携帯通信端末。
【請求項３】
前記アンテナ構体は、透明な材料からなる
ことを特徴とする請求項２記載の携帯通信端末。
【請求項４】
前記タッチパネルは、１つ以上の電極板を有し、
前記電極板は、透明な材料からなり、
前記アンテナ構体は、前記電極板の透明な材料と同じ材料からなる
ことを特徴とする請求項３記載の携帯通信端末。
【請求項５】
前記携帯通信端末は、表面の一部の領域に透明な絶縁フィルムを備え、
前記アンテナ構体は、前記絶縁フィルムの背後に密着して敷設されている
ことを特徴とする請求項１記載の携帯通信端末。
【請求項６】
透明な板からなるフロントスクリーンを含み、当該フロントスクリーンの表面の一部が入力操作面とされたタッチパネルを備える携帯通信端末であって、
前記フロントスクリーンの裏面に、前記入力操作面の外縁に沿って、導体からなるアンテナ構体が敷設され、
前記タッチパネルは、１つ以上の電極板を有し、
前記電極板は、前記フロントスクリーンの裏面側に敷設されている
ことを特徴とする携帯通信端末。
【発明の詳細な説明】
【技術分野】
【０００１】
本発明は、テレビ放送を受信するためのアンテナを備える携帯通信端末に関する。
【背景技術】
【０００２】
地上デジタルテレビ放送の信号を受信するためのＵＨＦ（Ultra High Frequency）帯アンテナを備え、内蔵するディスプレイを用いてテレビ番組を表示する携帯通信端末がある。
ＵＨＦ帯アンテナは、近くに金属があると受信する地上デジタルテレビ放送の信号の電界強度が弱められてしまうことがある。よって、ＵＨＦ帯アンテナは、金属を含む部品が多数装着されている基板からできるだけ遠い位置、すなわち携帯通信端末本体の表面近傍に配置されることが望まれる。
【０００３】
電子機器の表面近傍にアンテナを配置する技術として、例えば、特許文献１、特許文献２、特許文献３、特許文献４、特許文献５に記載されているように、電子機器に内蔵されるディスプレイの表面に透明導体からなるアンテナを配置する技術が知られている。
【先行技術文献】
【特許文献】
【０００４】
【特許文献１】特開２００７−２５１５５０号公報
【特許文献２】特開２００７−２３５７５１号公報
【特許文献３】特開２００７−４５０１号公報
【特許文献４】特開２００２−１０９６７２号公報
【特許文献５】特開平１１−１８７０９６号公報
【発明の概要】
【発明が解決しようとする課題】
【０００５】
ところで、タッチパッドとディスプレイとが互いに重ねられてなるタッチパネルを入力デバイスとして利用する携帯通信端末がある。
タッチパネルを有する携帯通信端末を利用するユーザは、携帯通信端末本体の表面にあるタッチパネル入力操作面を指等で触れて操作することで、携帯通信端末へのコマンドの入力等を行う。
【０００６】
しかしながら、タッチパッドとディスプレイとは互いに重ねられているため、ディスプレイの表面にＵＨＦ帯アンテナを配置することはできない。
このため、この種の携帯通信端末に対しては、タッチパッドは、その表面上にＵＨＦ帯アンテナを重ねられてしまうと、ユーザからのタッチパネル操作面への操作の検出精度を悪化させてしまうからである。
【０００７】
そこで、本発明は係る問題に鑑みてなされたものであり、タッチパネル入力操作面への操作の検知精度の悪化を抑えられる携帯通信端末を提供することを目的とする。
【課題を解決するための手段】
【０００８】
上記課題を解決するために本発明に係る携帯通信端末は、表面が入力操作面とされたタッチパネルを備える携帯通信端末であって、前記タッチパネルの入力操作面の外縁に沿って、導体からなるアンテナ構体が、表面近傍に敷設されていることを特徴とする。
ここで、表面近傍とは、携帯通信端末における表面付近の領域のうち、携帯通信端末の主表面とディスプレイの背面との距離をｘとする場合において、携帯通信端末の表面から深さｘまでの領域のことをいう。
【発明の効果】
【０００９】
上述の構成を備える本発明に係る携帯通信端末は、タッチパネル入力操作面への操作の検知精度の悪化を抑えられるようになる。
【図面の簡単な説明】
【００１０】
【図１】携帯電話機１００の平面図
【図２】タッチパッド１５０とアンテナ構体１３０との構成を示す分解斜視図
【図３】携帯電話機１００の断面図
【図４】携帯電話機４００の平面図
【図５】携帯電話機４００の断面図
【図６】携帯電話機６００の平面図
【図７】携帯電話機６００の断面図
【図８】補足におけるタッチパッド８５０とアンテナ構体８３０との平面図
【発明を実施するための形態】
【００１１】
＜実施の形態１＞
＜概要＞
以下、本発明に係る携帯通信端末の一実施形態として、タッチパッドとディスプレイとを重ねられてなるタッチパネルと、地上デジタルテレビ放送の信号を受信するためのＵＨＦ帯アンテナとを備え、ディスプレイを用いてテレビ番組を表示する携帯電話機について説明する。
【００１２】
この携帯電話機は、主表面に、透明なガラス板からなるフロントスクリーンを備え、フロントスクリーンの中央部分の奥にディスプレイが配置されている。
このフロントスクリーンの表面には、ディスプレイと重なる位置に透明な金属（例えば、ＩＴＯ（Indium Tin Oxide：酸化インジウムスズ））製の電極を備えるタッチパッドが形成され、タッチパッドを避ける位置に透明な金属（例えば、ＩＴＯ）製のＵＨＦ帯アンテナが形成されている。
【００１３】
以下、本実施の形態に係る携帯電話機の主要な構成について、図面を参照しながら説明する。
＜構成＞
図１は、携帯電話機１００の主表面側の平面図である。
同図に示される通り、携帯電話機１００の主表面は、マイク開口部１１１とレシーバ開口部１１２とを有するフレーム１１０と、アンテナ構体１３０と、タッチパッド１５０と、フロントスクリーン１２０とから構成される。
【００１４】
フレーム１１０は、携帯電話機１００の基体であって、例えば樹脂製である。
フロントスクリーン１２０は、携帯電話機１００の主表面側中央部となる位置に配置された、例えばガラス板製の透明な平板であって、その主表面上にアンテナ構体１３０とタッチパッド１５０とが形成されている。
図２は、タッチパッド１５０とアンテナ構体１３０との構成を示す分解斜視図である。
【００１５】
タッチパッド１５０は、図示していないタッチパッドコントローラによって制御される４線式抵抗膜方式のタッチパッドであって、図２に示されるように、Ｘ軸検知用電極２１０とスペーサ２２０とＹ軸検知用電極２３０とが重ねられて構成されている。
Ｘ軸検知用電極２１０は、フロントスクリーン１２０の主表面に、透明な金属（例えば、ＩＴＯ）が蒸着されることによって形成され、形状は長方形である。
【００１６】
Ｙ軸検知用電極２３０は、透明絶縁フィルム２４０（例えば、厚さ５０μｍの絶縁性プラスチック薄膜製）の裏面に、透明な金属（例えば、ＩＴＯ）が蒸着されることによって形成され、形状は、Ｘ軸検知用電極２１０と合同な長方形である。
スペーサ２２０は、透明な絶縁物（例えば、絶縁性プラスチック）製のドットスペーサがアレイ状に配列されてなり、Ｙ軸検知用電極２３０が指等によって押下されていない場合に、Ｘ軸検知用電極２１０とＹ軸検知用電極２３０とが互いに接触しない状態となり、Ｙ軸検知用電極２３０が指等によって押下されている場合に、Ｙ軸検知用電極２３０におけるその押下されている部分が、Ｘ軸検知用電極２１０と接触する状態となるようにするためのものである。
【００１７】
アンテナ構体１３０は、地上デジタルテレビ放送の信号を受信するためのアンテナであって、フロントスクリーン１２０の主表面のうち、Ｘ軸検知用電極２１０の外周を取り囲む位置に、Ｘ軸検知用電極２１０と同じ材質である透明な金属（例えば、ＩＴＯ）が蒸着されることによって形成される。
アンテナ構体１３０は、Ｘ軸検知用電極２１０の辺毎に、それぞれ平行な部分を有する折れ曲がり形状となっていて、主表面側から見た場合における幅が５ｍｍであって、直線状に伸ばしたときの長さが１８ｃｍである。
【００１８】
Ｘ軸検知用電極２１０の辺に平行な部分のそれぞれは、対応するＸ軸検知用電極２１０の辺との距離が５ｍｍとなっている。
なお、図１と図２とには、タッチパッド１５０とアンテナ構体１３０とが図示されているが、実際にはタッチパッド１５０とアンテナ構体１３０とは、透明な材質で形成されているため、視認されにくくなっている。
【００１９】
図３は、図１中のＡ、Ｂを結ぶ鎖線位置における携帯電話機１００の断面図である。
同図に示されるように、携帯電話機１００は、前述のフレーム１１０とフロントスクリーン１２０とアンテナ構体１３０とタッチパッド１５０とに加えて、液晶ディスプレイ３１０とシール３４０と回路基板３２０とアンテナ接続部１４０とスプリングピン３３０とマイク３５０とレシーバ３６０と通話用アンテナ３７０と電池３８０とから構成される。
【００２０】
図面が煩雑になるのを避けるため、図３には、図２に図示されている透明絶縁フィルム２４０が省略されている。また、図３には、タッチパッド１５０とアンテナ構体１３０とが図示されているが、実際にはタッチパッド１５０とアンテナ構体１３０とは、透明な材質で形成されているため、視認されにくくなっている。
回路基板３２０は、電子部品等を互いに電気的に接続させるための回路基板であって、液晶ディスプレイ３１０の背面側に配置され、プロセッサ（図示せず）、無線通信回路（図示せず）、テレビ受信回路（図示せず）、タッチパッドコントローラ（図示せず）、液晶ディスプレイコントローラ（図示せず）、メモリ（図示せず）等が装着されている。
【００２１】
液晶ディスプレイ３１０は、フロントスクリーン１２０と回路基板３２０との間に挟まれて配置され、液晶ディスプレイコントローラ（図示せず）によって制御され、テレビ番組、図形、文字等を表示する機能を有する。
液晶ディスプレイ３１０とフロントスクリーン１２０とタッチパッド１５０とは、互いに重なることでタッチパネル２００を形成している。タッチパネル２００の操作面は、携帯電話機１００の主表面のうち、タッチパッド１５０の主表面に対応する部分となっている。
【００２２】
よって、タッチパッド１５０と重ならないように形成されているアンテナ構体１３０は、タッチパネル２００の操作面と重ならない。
シール３４０は、フロントスクリーン１２０の裏面側外縁部に形成される、フロントスクリーン１２０の主表面側から見てロの字型をした不透明な接着シールであって、フロントスクリーン１２０とフレーム１１０とに接着され、フロントスクリーン１２０を、フレーム１１０に固定している。
【００２３】
また、アンテナ構体１３０は、フロントスクリーン１２０の主表面のうち、シール３４０に対向する領域内に形成されている。
アンテナ接続部１４０は、導体（例えば、銅箔）でできた配線であって、アンテナ構体１３０とスプリングピン３３０とを電気的に接続している。
スプリングピン３３０は、先端がバネで伸縮する可動型プローブピンであって、導電性を有し、回路基板３２０に装着されているテレビ受信回路（図示せず）の入力端子と、アンテナ接続部１４０とを電気的に接続している。
【００２４】
アンテナ構体１３０は、アンテナ接続部１４０とスプリングピン３３０とを介して、回路基板上に装着されているテレビ受信回路（図示せず）の入力端子に電気的に接続する。
通話用アンテナ３７０は、携帯電話システムにおける通信に利用される２ＧＨｚ帯の信号を送受信するためのアンテナであって、回路基板３２０の裏面側に配置されている。
マイク３５０は、携帯電話機１００を利用するユーザの声等を電気信号に変換するマイクであって、回路基板３２０の表面側に配置されている。
【００２５】
レシーバ３６０は、電気信号を音声に変換するためのスピーカであって、回路基板３２０の表面側に配置されている。
電池３８０は、携帯電話機１００を構成する各電子部品に電力を供給するための充電式電池であって、回路基板３２０の裏面側に配置されている。
以上のように構成される携帯電話機１００の機能について、以下説明する。
【００２６】
＜機能＞
携帯電話機１００は、様々な機能を有している。以下に、携帯電話機１００の有する機能のうち、主な機能である、コマンド受付機能、通話機能、テレビ受信機能について説明する。
コマンド受付機能：コマンド受付機能は、携帯電話機１００を利用するユーザから携帯電話機１００を操作するためのコマンドを受け付け、そのコマンドに対応する処理を実行する機能であって、以下の一連の処理によって実現される。
【００２７】
プロセッサは、液晶ディスプレイコントローラを制御して、液晶ディスプレイ３１０に、携帯電話機１００を操作するためのコマンドを示すアイコンの一覧を表示させる。
ユーザは、透明なフロントスクリーン１２０と透明なタッチパッド１５０とを通してアイコンの一覧を視認し、選択したいコマンドを示すアイコンの位置に対応する、タッチパッド１５０の主表面の部分を指等で接触することで、携帯電話機１００を操作するためのコマンドを選択する。
【００２８】
タッチパッドコントローラは、タッチパッド１５０がユーザの指等によって接触されると、その接触された位置を検知し、その接触された位置を示す電気信号を生成してプロセッサに出力する。
プロセッサは、タッチパッドコントローラから、接触された位置を示す電気信号を受けると、ユーザによって選択されたコマンドを特定し、そのコマンドに対応するプログラムを実行することで、携帯電話機１００にそのコマンドに対応する処理を実行させる。
【００２９】
通話機能：通話機能は、基地局を介して他の携帯電話機と通信し、自機のユーザと通信中の携帯電話機のユーザとを通話させる機能であって、以下の一連の処理によって実現される。
マイク３５０は、自機のユーザの発する声を電気信号に変換してプロセッサに出力する。
【００３０】
プロセッサは、マイク３５０からの電気信号を受けると、携帯電話システムにおいて定められている所定のプロトコルに基づいて、符号化された信号を生成して、無線通信回路に出力する。
無線通信回路は、符号化された信号を受けると、携帯電話システムにおいて定められている所定の変調方法に基づいて変調して送信信号を生成し、通話用アンテナ３７０を用いて基地局に送信する。
【００３１】
無線通信回路は、通話用アンテナ３７０を用いて基地局から信号を受信すると、携帯電話システムにおいて定められている所定の復調方法に基づいて復調して符号化された信号を生成し、プロセッサに出力する。
プロセッサは、無線通信回路から符号化された信号を受けると、携帯電話システムにおいて定められている所定のプロトコルに基づいて復号し、復号された信号に含まれる音声信号をレシーバ３６０に出力する。
【００３２】
レシーバ３６０は、プロセッサから音声信号を受けると対応する音声を出力する。
テレビ放送受信機能：テレビ放送受信機能は、テレビ電波塔等から送信される地上デジタルテレビ放送の信号を受信し、液晶ディスプレイを用いてテレビ番組を表示する機能であって、以下の一連の処理によって実現される。
テレビ受信回路は、アンテナ構体１３０を用いてテレビ電波塔等から信号を受信すると、地上デジタルテレビシステムにおいて定められている所定の復調方法に基づいて復調して符号化された信号を生成し、プロセッサに出力する。
【００３３】
プロセッサは、テレビ受信回路から符号化された信号を受け取ると、地上デジタルテレビシステムにおいて定められている所定のプロトコルに基づいて復号し、復号された信号に含まれる音声信号をレシーバ３６０に出力する。
プロセッサは、復号された信号に含まれる映像信号に基づいて、液晶ディスプレイコントローラを制御して、液晶ディスプレイ３１０に番組画面を表示させる。
【００３４】
レシーバ３６０は、プロセッサから音声信号を受けると対応する番組音声を出力する。
以下、携帯電話機１００の特徴について説明する。
＜特徴＞
携帯電話機１００におけるタッチパネル３００の操作面は、タッチパッド１５０の主表面となる。
【００３５】
タッチパッド１５０とアンテナ構体１３０とは、互いに重なる部分がないため、タッチパッド１５０は、携帯電話機１００を利用するユーザからのタッチパネル操作面への操作を正しく受け付けることができる。
アンテナ構体１３０は、金属を含む部品が多数装着されている基板から比較的遠い位置であるフロントスクリーン１２０の表面に形成されているため、地上デジタルテレビ放送の信号を良好に受信することができる。
【００３６】
アンテナ構体１３０は、透明な金属（例えば、ＩＴＯ製）によって形成されているため、ユーザによって視認されにくい。従って、アンテナ構体１３０による、携帯電話機１００の主表面における意匠への影響は、限定的なものとなる。
アンテナ構体１３０は、携帯電話機１００の主表面における意匠を損なう可能性が低い。
テレビ番組は、液晶ディスプレイ３１０に表示されるため、ユーザは、テレビ番組を視聴する場合に、携帯電話機１００を、フロントスクリーン１２０の主表面側が他の物体によって遮られないように手に持って、又は机の上等に置いて視聴する。
【００３７】
従って、フロントスクリーン１２０の表面に形成されているアンテナ構体１３０は、ユーザがテレビ番組を視聴する際に、他の物体によって遮られることがなく、地上デジタル放送の信号を良好に受信することができる。
＜実施の形態２＞
以下、本発明に係る携帯通信端末の一実施形態として、実施の形態１で説明した携帯電話機１００の一部を変形した携帯電話機４００について説明する。
【００３８】
実施の形態１に係る携帯電話機１００は、フロントスクリーン１２０の表面上にタッチパッド１５０が形成されている場合の例であったが、実施の形態２に係る携帯電話機４００は、フロントスクリーンの裏面下にタッチパッドが形成されている場合の例となっている。
以下、実施の形態２に係る携帯電話機４００の構成について、実施の形態１に係る携帯電話機１００からの変更点を中心に、図面を用いて説明する。
【００３９】
＜構成＞
図４は、携帯電話機４００の平面図であり、図５は、図４中のＡ、Ｂを結ぶ鎖線位置における携帯電話機４００の断面図である。
図４、図５に示されるように、携帯電話機４００は、実施の形態１に係る携帯電話機１００（図１、図３参照）から、フロントスクリーン１２０がフロントスクリーン４２０に変更され、タッチパッド１５０がタッチパッド４５０に変更され、シール３４０がシール５４０に変更されたものである。
【００４０】
また、フロントスクリーン１２０がフロントスクリーン４２０に変更され、タッチパッド１５０がタッチパッド４５０に変更されたことに伴って、タッチパネル３００は、タッチパネル５００に変更されている。
フロントスクリーン４２０は、携帯電話機４００の主表面側中央部となる位置に配置された、例えばガラス板製の透明な平板である。実施の形態１に係るフロントスクリーン１２０では、主表面上にタッチパッド１５０とアンテナ構体１３０とが形成されていたが、このフロントスクリーン４２０は、主表面上にアンテナ構体１３０が形成されている。
【００４１】
タッチパッド４５０は、図示していないタッチパッドコントローラによって制御される静電容量方式のタッチパッドであって、透明な電極（例えば、ＩＴＯ製）によって構成され、フロントスクリーン４２０と液晶ディスプレイ３１０との間に挟まれて配置されている。
アンテナ構体１３０とタッチパッド４５０とは、互いに重なることがない位置に形成されている。
【００４２】
液晶ディスプレイ３１０とフロントスクリーン４２０とタッチパッド４５０とは、互いに重なることでタッチパネル５００を形成している。
図４と図５とには、タッチパッド４５０とアンテナ構体１３０とが図示されているが、実際にはタッチパッド４５０とアンテナ構体１３０とは、透明な材質で形成されているため、視認されにくくなっている。
【００４３】
シール５４０は、フロントスクリーン４２０の裏面側外縁部に形成される、フロントスクリーン１２０の主表面側から見てロの字型をした不透明な粘着シールである。実施の形態１に係るシール３４０は、フロントスクリーン１２０と液晶ディスプレイ３１０とフレーム１１０とに接着されていたが、このシール５４０は、フロントスクリーン４２０とフレーム１１０とに接着され、フロントスクリーン４２０をフレーム１１０に固定している。
【００４４】
＜機能＞
携帯電話機４００の有する機能は、実施の形態１に係る携帯電話機１００の有する機能と同様の機能である。よって、ここではその説明を省略する。
＜特徴＞
携帯電話機４００は、実施の形態１に係る携帯電話機１００の特徴から、一部の特徴を除いて、同様の特徴を有する。従って、ここでは、携帯電話機４００の特徴のうち、携帯電話機１００の特徴と異なるものについて説明する。
【００４５】
携帯電話機４００におけるタッチパネル５００の操作面は、フロントスクリーン４２０の主表面のうち、タッチパッド４５０に対向する部分となる。
タッチパネル５００の操作面とアンテナ構体１３０とは、互いに重なる部分がないため、タッチパッド１５０は、携帯電話機１００を利用するユーザからのタッチパネル操作面への操作を正しく受け付けることができる。
＜実施の形態３＞
以下、本発明に係る携帯通信端末の一実施形態として、実施の形態１で説明した携帯電話機１００の一部を変形した携帯電話機６００について説明する。
【００４６】
実施の形態１に係る携帯電話機１００は、アンテナ構体１３０がフロントスクリーン１２０の表面上に形成されている場合の例であったが、実施の形態３に係る携帯電話機６００は、アンテナ構体がフロントスクリーン６２０の裏面側外縁部に形成されるロの字型をした不透明な粘着シールの背後に隠れる位置に形成されている場合の例である。
図６は、携帯電話機６００の平面図であり、図７は、図６中のＡ、Ｂを結ぶ鎖線位置における携帯電話機６００の断面図である。
【００４７】
図６、図７に示されるように、携帯電話機６００は、実施の形態１に係る携帯電話機１００（図１、図３参照）から、フロントスクリーン１２０がフロントスクリーン６２０に変更され、アンテナ構体１３０がアンテナ構体６３０に変更され、シール３４０がシール７４０に変更され、スプリングピン３３０がスプリングピン７３０に変更され、アンテナ接続部１４０が削除されたものである。
【００４８】
また、フロントスクリーン１２０がフロントスクリーン６２０に変更されたことに伴って、タッチパネル３００は、タッチパネル７００に変更されている。
フロントスクリーン６２０は、携帯電話機６００の主表面側中央部となる位置に配置された、例えばガラス板製の透明な平板である。実施の形態１に係るフロントスクリーン１２０では、主表面上にタッチパッド１５０とアンテナ構体１３０とが形成されていたが、このフロントスクリーン６２０は、主表面上にタッチパッド１５０が形成されている。
【００４９】
シール７４０は、フロントスクリーン６２０の裏面側外縁部に形成される、フロントスクリーン１２０の主表面側から見てロの字型をした不透明な粘着シールである。実施の形態１に係るシール３４０は、フロントスクリーン１２０とフレーム１１０とに接着されていたが、このシール７４０は、フロントスクリーン４２０とアンテナ構体６３０とフレーム１１０とに接着され、フロントスクリーン４２０とアンテナ構体６３０とをフレーム１１０に固定している。
【００５０】
アンテナ構体６３０は、地上デジタルテレビ放送の信号を受信するためのアンテナであって、フィルム状の金属（例えば、銅箔）からなり、主表面の形状が実施の形態１におけるアンテナ構体１３０の主表面の形状と同じであって、シール７４０に接着されることでシール７４０の背後の位置に配置されている。
また、アンテナ構体６３０は、シール７４０の背後の位置に配置されることで、携帯電話機６００の外部から視認されることはない。
【００５１】
アンテナ構体６３０とタッチパッド１５０とは、互いに重なることがない位置に形成されている。
液晶ディスプレイ３１０とフロントスクリーン６２０とタッチパッド１５０とは、互いに重なることでタッチパネル７００を形成している。
スプリングピン７３０は、先端がバネで伸縮する可動型プローブピンであって、導電性を有し、回路基板３２０に装着されているテレビ受信回路（図示せず）の入力端子と、アンテナ構体６３０とを電気的に接続している。
【００５２】
図６と図７とには、タッチパッド１５０が図示されているが、実際にはタッチパッド１５０は、透明な材質で形成されているため、視認されにくくなっている。
＜機能＞
携帯電話機６００の有する機能は、実施の形態１に係る携帯電話機１００の有する機能と同様の機能である。よって、ここではその説明を省略する。
【００５３】
＜特徴＞
携帯電話機６００は、実施の形態１に係る携帯電話機１００の特徴から、一部の特徴を除いて、同様の特徴を有する。従って、ここでは、携帯電話機６００の特徴のうち、携帯電話機１００の特徴と異なる特徴について説明する。
アンテナ構体６３０は、金属を含む部品が多数装着されている基板から比較的遠い位置であるフロントスクリーン６２０の裏面近傍に形成されているため、地上デジタルテレビ放送の信号を良好に受信することができる。
【００５４】
アンテナ構体６３０は、シール７４０の背後の位置に配置されているため、携帯電話機６００の外部から視認されることがない。従って、アンテナ構体６３０は、携帯電話機６００の主表面における意匠を損なわない。
＜補足＞
以上、本発明に係る携帯通信端末の一実施形態として、実施の形態１、実施の形態２、実施の形態３において、３つの携帯電話の例について説明したが、以下のように変形することも可能であり、本発明は上述した実施の形態１、実施の形態２、実施の形態３で示した通りの携帯通信端末に限られないことはもちろんである。
（１）実施の形態１において、携帯通信端末の例として、携帯通信端末が携帯電話機である場合について説明したが、ユーザからの操作を受け付けるためのタッチパネルと、テレビ放送を受信するためのアンテナを有する携帯通信端末であれば、必ずしも携帯電話機に限られる必要はなく、例えば、タッチパネルを入力デバイスとし、無線通信機能とテレビ受信機能とを有するＰＤＡ（Personal Digital Assistant：携帯情報端末）等であっても構わない。
（２）実施の形態１において、アンテナ構体１３０とＸ軸検知用電極２１０とは、互いに同じ材質である透明な金属（例えば、ＩＴＯ製）によって形成される例について説明したが、アンテナ構体１３０とＸ軸検知用電極２１０とは、透明な金属であれば、必ずしも互いに同じ材質で形成される必要はなく、例えば、アンテナ構体１３０がＩＴＯ製で、Ｘ軸検知用電極２１０がＺｎＯ（Zinc Oxide：酸化亜鉛）製であるとしても構わない。
（３）実施の形態１において、アンテナ構体１３０は、タッチパッド１５０の４辺を取り囲む形状である場合の例について説明したが、アンテナ構体１３０とタッチパッド１５０とが互いに重ならなければ、必ずしもアンテナ構体１３０は、タッチパッド１５０の４辺を取り囲む形状である必要はなく、例えば、タッチパッド１５０の２辺を取り囲むＬ字型であっても構わない。
【００５５】
図８は、アンテナの形状がタッチパッドの２辺を取り囲むＬ字型である例における、タッチパッドとアンテナ構体との平面図である。
同図に示されるように、アンテナ構体８３０の主表面は、タッチパッド８５０の主表面の第１辺８５１に平行な部分と、タッチパッド８５０の主表面の第２辺８５２に平行な部分とを有するＬ字型形状となっている。
（４）実施の形態１において、タッチパッド１５０の主表面の形状が長方形である場合の例について説明したが、ユーザからの操作コマンドを受け付ける機能に支障のない形状であれば、例えば、菱形、正六角形等の長方形以外の形状であっても構わない。
（５）実施の形態１において、アンテナ構体１３０は、主表面側から見た場合における幅が５ｍｍであって、直線状に伸ばしたときの長さが１８ｃｍであるとしたが、地上デジタルテレビ放送の信号を受信することができれば、必ずしも主表面側から見た場合における幅が５ｍｍであって、直線状に伸ばしたときの長さが１８ｃｍである必要はなく、例えば、主表面側から見た場合における幅が１ｃｍであって、直線状に伸ばしたときの長さが９ｃｍであっても構わない。
（６）実施の形態１において、アンテナ構体１３０のＸ軸検知用電極２１０の辺に平行な部分のそれぞれは、対応するＸ軸検知用電極２１０の辺との距離が５ｍｍであるとしたが、アンテナ構体１３０とＸ軸検知用電極２１０とが互いに接触することがなければ、必ずしも対応するＸ軸検知用電極２１０の辺との距離が５ｍｍである必要はなく、例えば、対応するＸ軸検知用電極２１０の辺との距離が１０ｍｍであっても構わない。
（７）実施の形態１において、タッチパッド１５０は、４線式抵抗膜方式のタッチパッドを用いるとしたが、タッチパッドとしての機能を有するものであれば、必ずしも４線式抵抗膜方式のタッチパッドに限定されない。
【００５６】
例えば、５線式以上の抵抗膜方式のタッチパッド、投影型静電容量式タッチパッド、表面型静電容量式タッチパッド等が考えられる。
（８）以下、さらに本発明の一実施形態に係る携帯通信端末の構成及びその変形例と各効果について説明する。
（ａ）本発明の一実施形態に係る携帯通信端末は、表面が入力操作面とされたタッチパネルを備える携帯通信端末であって、前記タッチパネルの入力操作面の外縁に沿って、導体からなるアンテナ構体が、表面近傍に敷設されていることを特徴とする。
【００５７】
上述の構成を備える携帯通信端末は、アンテナ構体の敷設位置がタッチパネルの入力操作面と重ならないこととなる。よって、タッチパネルは、アンテナ構体によって、ユーザからのタッチパネル入力操作面への操作の検出を邪魔されることがない。
従って、ユーザからのタッチパネル入力操作面への操作の検知精度の悪化を抑えられるようになる。
【００５８】
（ｂ）また、前記アンテナ構体は、前記タッチパネルの入力操作面の外縁である多角形の各辺のうち、少なくとも隣り合う第１辺と第２辺との外側に沿って当該第１辺と当該第２辺とに並行しているとしてもよい。
これにより、アンテナ構体を、タッチパネルの入力操作面の第１辺に並行する直線部分と第2辺に並行する直線部分とを有する折れ曲がった形状とすることができる。
【００５９】
従って、アンテナ構体を、１つの直線部分のみで構成されるものよりも長くすることができるようになる。
（ｃ）また、前記アンテナ構体は、透明な材料からなるとしてもよい。
これにより、アンテナ構体は視認されにくいものとなるため、アンテナ構体による、携帯通信端末の外観における意匠への影響を、限定的なものとすることができる。
【００６０】
（ｄ）また、前記タッチパネルは、１つ以上の電極板を有し、前記アンテナ構体は、前記電極板の少なくとも１つと同一平面上に敷設されているとしてもよい。
一般に、-携帯通信端末を利用するユーザは、アンテナ構体が受信するテレビ放送信号をタッチパネルに表示させて視聴する場合に、携帯通信端末を、タッチパネルの主表面側が他の物体によって遮られないように手に持って、又は机の上等に置いて視聴する。
【００６１】
よって、上述の構成を備える携帯通信端末は、ユーザがテレビ番組を視聴する際に、アンテナ構体が他の物体によって遮られることがないため、テレビ放送信号を良好に受信することができる。
（ｅ）また、前記少なくとも１つの電極板は、透明な材料からなり、前記アンテナ構体は、前記少なくとも１つの電極板の透明な材料と同じ材料からなるとしてもよい。
【００６２】
これにより、携帯通信端末の製造工程において、タッチパネルのうちの少なくとも１つの電極板の形成とアンテナ構体の形成とを互いに同じ製造設備を用いて実現することができるようになる。
（ｆ）また、前記携帯通信端末は、表面の一部の領域に透明な絶縁フィルムを備え、前記アンテナ構体は、前記絶縁フィルムの背後に密着して敷設されているとしてもよい。
【００６３】
これにより、アンテナ構体が絶縁フィルムの背後に形成されるため、携帯通信端末を利用するユーザは、携帯通信端末のどの部分を持ったとしても、アンテナに接触してしまうことがなくなる。
また、一般に、透明な絶縁フィルムは、厚さが数十μｍである。
よって、アンテナ構体は、携帯通信端末の表面から数十μｍの位置に形成されることとなるため、電波を比較的良好に受信することができる。
【００６４】
（ｇ）また、前記タッチパネルは、外縁部に不透明な枠体を有し、前記アンテナ構体は、前記携帯通信端末の外部から見て、前記枠体の背後に敷設されているとしてもよい。
これにより、携帯通信端末外部からアンテナ構体は視認されることがなくなるため、アンテナ構体による携帯通信端末の外観における意匠への影響を限定的なものとすることができる。
【産業上の利用可能性】
【００６５】
本発明は、タッチパネルとアンテナとを備える携帯通信端末に広く利用することができる。
【符号の説明】
【００６６】
１００  携帯電話機
１１０  フレーム
１１１  マイク開口部
１１２  レシーバ開口部
１２０  フロントスクリーン
１３０  アンテナ構体
１４０  アンテナ接続部
１５０  タッチパッド
３００  タッチパネル
３１０  液晶ディスプレイ
３２０  回路基板
３３０  スプリングピン
３４０  シール
３５０  マイク
３６０  レシーバ
３７０  通話用アンテナ
３８０  電池
【図１】
0005649910.tif 000002
【図２】
0005649910.tif 000003
【図３】
0005649910.tif 000004
【図４】
0005649910.tif 000005
【図５】
0005649910.tif 000006
【図６】
0005649910.tif 000007
【図７】
0005649910.tif 000008
【図８】
0005649910.tif 000009